(57)【特許請求の範囲】
【請求項１】
間伐材よりなる平板状の基板と、
基板に切り溝を介して一体に立設可能に構成すると共に、芳香剤の吸収揮発が容易で、かつ長期間の持続性を有するように間伐材の平板の積層合板で天然物または人工物の形状に形取り構成し、平板の上端縁に芳香剤が上方に浸透して大気中に拡散するように構成した上端縁開口部を形成した装飾媒体と、
基板上に載置した芳香剤収納のオイル等容器中に浸漬した浸漬片とよりなり、しかも浸漬片は天然物または人工物の形状に形取りし、平板状の基板に一体に立設した装飾媒体のうち基板の切り溝に嵌着した以外の一部を下方に伸延して構成したことよりなる芳香装置。
【請求項２】
装飾媒体において、芳香剤の吸収揮発が容易で、かつ長期間の持続性を有するような構成としては、２枚の間伐材の平板間に間伐材の芯材を挟持接着した合板構成とし、かつ平板は縦方向木目を有して構成し、芯材は横方向木目を有して構成したことを特徴とする請求項１に記載の芳香装置。
【発明の詳細な説明】
【技術分野】
【０００１】
この発明は、間伐材を利用して組み立て式の構成とすると共に、揮発性の香料等のアロマオイル等の芳香剤を装飾体様に形成した装飾媒体を介して芳香出来るようにしたアロマオイル等芳香装置に関する。
【背景技術】
【０００２】
従来、基板に立設した装飾媒体から基板に吸収した香料液体を揮発させるようにした装飾体がある。かかる装飾媒体は、吸収紙或いは布の様な素材で樹木を想定する形状に形成されて基板に組み立て式で立設されている。
【０００３】
使用に際しては、装飾体として居間やトイレ等の所要の場所に配置しておき、装飾媒体の毛細管現象によって香料等の水溶液を浸透吸い上げ空気中に揮発させるものである。
【先行技術文献】
【特許文献】
【０００４】
【特許文献１】特開平７−２８５２９９号公報
【発明の概要】
【発明が解決しようとする課題】
【０００５】
従来の香料揮発装置は、材料が森林保護に貢献するようなものではなく、また毛細管現象により香料を揮発する装飾媒体は予めかかる機能を有する構造と材料を選択しているため高価になり、更には、香料を揮発する速度を遅延制御しながら十分に長時間芳香させることが出来ない機構であり、また、組み立て構造や芳香を発揮する手順が複雑であり簡単に個人や家庭で組み立てて長期間の芳香状態を楽しめるものではなかった。
【０００６】
この発明は、材料に間伐材を使用して可及的に森林保護が出来るようにし、かつ構造簡単でアロマオイル等芳香剤の吸引揮発が容易な構造として上記の欠点を解消するものである。
【課題を解決するための手段】
【０００７】
この発明は、間伐材よりなる平板状の基板と、基板に切り溝を介して一体に立設可能に構成すると共に、芳香剤の吸収揮発が容易で、かつ長期間の持続性を有するように間伐材の平板の積層合板で天然物または人工物の形状に形取り構成し、平板の上端縁に芳香剤が上方に浸透して大気中に拡散するように構成した上端縁開口部を形成した装飾媒体と、基板上に載置した芳香剤収納のオイル等容器中に浸漬した浸漬片とよりなり、しかも浸漬片は天然物または人工物の形状に形取りし、平板状の基板に一体に立設した装飾媒体のうち基板の切り溝に嵌着した以外の一部を下方に伸延して構成したことよりなる芳香装置を提供するものである。
【０００８】
また、アロマオイル等の芳香剤の吸収揮発が容易で、かつ長期間の持続性を有するような構成としては、２枚の間伐材の平板間に間伐材の芯材を挟持接着した合板構成とし、かつ平板は縦方向木目を有して構成し、芯材は横方向木目を有して構成したことを特徴とする。
【発明の効果】
【０００９】
この発明によれば、間伐材よりなる平板状の基板と、基板に切り溝を介して一体に立設可能に構成すると共に、芳香剤の吸収揮発が容易で、かつ長期間の持続性を有するように間伐材の平板の積層合板で天然物または人工物の形状に形取り構成し、平板の上端縁に芳香剤が上方に浸透して大気中に拡散するように構成した上端縁開口部を形成した装飾媒体と、基板上に載置した芳香剤収納のオイル等容器中に浸漬した浸漬片とよりなり、しかも浸漬片は天然物または人工物の形状に形取りし、平板状の基板に一体に立設した装飾媒体のうち基板の切り溝に嵌着した以外の一部を下方に伸延して構成したので、間伐材の利用により森林材の活用を可能とし二酸化炭素排出の削減に貢献できる効果があり、また装飾媒体は基板に容易に着脱自在に構成し、天然模造体または人工模造体に擬した間伐材より構成したので個人で簡単に組み立てることが可能となり使用者の好みに応じて各種のデザインの形状を選択すること出来ため使用の利便性が向上することが出来る効果があり、特に装飾媒体は、アロマオイル等の芳香剤の吸収揮発が容易で、かつ長期間の持続性を有するように構成したので揮発性と持続性のバランスを良好としてアロマオイル等の芳香剤の酸化を可及的に防止して新鮮な芳香を生成することが出来る効果がある。
【００１０】
また、この発明によれば、アロマオイル等の芳香剤の吸収揮発が容易で、かつ長期間の持続性を有するような構成として２枚の間伐材の平板間に間伐材の芯材を挟持接着した合板構成とし、かつ平板は縦方向木目を有して構成し、芯材は横方向木目を有して構成したことにより、アロマオイル等の芳香剤の吸収揮発が容易となり、かつ芯材は横方向木目を有して構成したのでアロマオイル等の芳香剤がジグザグの流通経路を経て緩慢に蒸散し徐々に空気中に拡散するのでアロマオイル等の芳香剤エキスの一定の貯留効果があり、芳香を持続性させる効果がある。
【図面の簡単な説明】
【００１１】
【図１】本件発明のアロマオイル等芳香装置Ａの全体の斜視図。
【図２】図１の分解状態の説明図。
【図３】装飾媒体３の断面説明図。
【図４】装飾媒体３におけるアロマオイル等の芳香剤の浸透拡散状態を示す説明図。
【発明を実施するための形態】
【００１２】
この発明の実施例を図面に基づき詳説すれば、図１は本件発明のアロマオイル等芳香装置Ａの全体の斜視図、図２は図１の分解状態の説明図、図３は装飾媒体３の断面説明図、図４は装飾媒体３におけるアロマオイル等の芳香剤の浸透拡散状態を示す説明図である。
【００１３】
この発明の実施例は、間伐材よりなる基板１と、基板に切り溝２を形成して切り溝に着脱自在に構成すると共に、アロマオイル等の芳香剤の吸収揮発が容易で、かつ長期間の持続性を有するように構成した天然模造体または人工模造体に擬した間伐材よりなる装飾媒体３と、基板上に載置したアロマオイル等の芳香剤収納のオイル等容器４の中に浸漬すべく装飾媒体３の一部を下方に伸延した浸漬片５とよりなるアロマオイル等芳香装置Ａを提供するものである。
【００１４】
また、この発明の実施例は、装飾媒体３に関して、アロマオイル等の芳香剤の吸収揮発が容易で、かつ長期間の持続性を有するような構成としては、２枚の間伐材の平板６，６´間に間伐材の芯材７を挟持接着した合板構成とし、かつ平板６，６´は縦方向木目８を有して構成し、芯材は横方向木目９を有して構成したことを特徴とする。
【００１５】
基板１、装飾媒体３はいづれも間伐材を利用することにより森林材の伐採による自然破壊を出来るだけ防止することを目的としている。
【００１６】
基板１は後述する装飾媒体３を立設するだけの厚みを有する土台として機能するものであり、基板１に形成する切り溝２は、装飾媒体３の厚みに対応する幅員を有し長さも装飾媒体３の下端縁と嵌着するに十分な長さに構成している。
【００１７】
装飾媒体３は本実施例の主要部を構成するものであり、形状は天然模造体や人工模造体、例えば像やウサギや樹木や人間や飛行機や新幹線列車や飛行機や車等の形状を形取っており、下端縁３−１は水平に切断した形状とし基板１の切り溝２に着脱自在に嵌着出来るように構成している。
【００１８】
しかも、装飾媒体３はアロマオイル等の芳香剤の吸収揮発が容易で、かつ長期間の持続性を有するように構成しており、具体的には、２枚の間伐材の平板６，６´間に間伐材の芯材７を挟持接着した合板構成とし、かつ平板６，６´は縦方向木目８を有して構成し、芯材は横方向木目９を有して構成していると共に、装飾媒体３の一部を下方に伸延して浸漬片５としている。
【００１９】
この浸漬片５は、基板１の所定の場所に載置するオイル等容器４の開口部から容器中に挿入出来るような長方形或いは棒状の形状としている。
【００２０】
オイル等容器４中には、アロマオイル等の芳香剤を収納しているが、アロマオイルに限定されるものではなく、例えば、無機化合物の溶液に香料を混合して調製したものでもよく、塩化ナトリウムや炭酸水素ナトリウムなどをアンモニア水などの溶媒に溶解して調製し、これにＤ−リモネン、ゲラニオールなどの香料を数種類組合わせて使用するものでもよい。
【００２１】
無機化合物の溶媒としては揮発性のアルコールやエタノールやアセトンなどの有機溶剤を使用し、香料と溶液を均一に溶解するためにレシチンやカルボン酸塩などの乳化剤や界面活性剤を混合する。
【００２２】
装飾媒体３はこのように構成され、特に合板構成の特徴として平板６，６´と芯材７よりなり、更には平板６，６´と芯材７の木目の構成がそれぞれ逆の木目としている。
【００２３】
すなわち、外側の平板６，６´は縦方向木目８であるために浸漬片５を介して毛細管現象によりアロマオイル等の芳香剤を吸収するときに縦方向木目８に沿って上方に迅速に吸引されやすい。しかも、平板６，６´の間に挟持された芯材７は横方向木目９であるために、横方向木目の間の柔軟組織９−１に吸引されて横方向の木目に沿って浸透されていき芯材７の柔軟組織７−１に伝搬されて徐々に全体に拡散していく。そして、芯材７の柔軟組織７−１全体に拡散したアロマオイル等の芳香剤は両側の平板６，６´の縦方向木目の間の柔軟組織８−１に逆に移行して縦方向木目９に沿って上方に浸透して平板６，６´上端縁開口部６−１，６´―１から大気中に拡散されていく。
【００２４】
なお、ここで柔軟組織８−１と柔軟組織９−１とは木目と木目の間、すなわち樹木の年輪の間に形成された木材の柔軟部分を言い、木目と木目との間においてアロマオイル等の芳香剤の毛細管現象が有効に生起する部分である。
【００２５】
このようにアロマオイル等の芳香剤は浸漬片５から浸透して両側の平板６，６´のうち浸漬片５に連通した縦方向木目８に沿って順次芯材７に移行していき装飾媒体３の芯材７全体に拡散し、その後芯材７から再度両側の平板６，６´全体に拡散し上端縁開口部６−１，６´−１から空気中に蒸散していく。
【００２６】
なお、装飾媒体３に適当に孔３−２を穿孔しておけば、孔３−２の内周端面からも芳香を拡散することができ、特に孔３−２に蓋体３−３を嵌着自在に構成すれば孔３−２に蓋体３−３を嵌着することにより、孔３−２内周端面からの芳香拡散の調整をすることができる効果がある。
【００２７】
また、オイル等容器４中に浸漬片５を浸漬する場合は、オイル等容器４の開口部と浸漬片５との間に一定の間隙を形成しておき、装飾媒体３にアロマオイル等が浸潤して飽和状態となり、アロマオイル等が固化してアロマオイル等の拡散が円滑に行われない場合にもこの浸漬片５との間隙からアロマオイル等の芳香が拡散できるようにしている。
【００２８】
また、装飾媒体３の肉厚は、両側の平板６，６´と芯材７とをそれぞれ約０．５mm〜０．７ｍｍとし、合板全体として約１．５mm〜２．０mmの薄板構成としており、かかる薄板構成とすることによりアロマオイル等の浸透を迅速とし、かつ装飾媒体３における拡散を促進することができる。
【００２９】
また、装飾媒体３の材質は、杉材を使用する。杉材とすることにより木目の間隙を可及的に大としアロマオイル等の芳香剤の毛細管現象を促進させることができる。
【００３０】
なお、装飾媒体3には、節部が混在する場合もあるが、アロマオイル等の芳香剤は、節部を迂回して木目間を浸透していくので、節部は模様としての機能と方向拡散の調整機能をも果たすことができる。
【００３１】
このように本発明の実施例によれば、アロマオイル等の芳香剤は浸漬片５から有効に装飾媒体３全体に拡散して最終的に縦方向木目８に沿って平板６，６´の上端縁開口部６−１，６´−１から拡散することになり、装飾媒体３からの芳香剤の拡散効率を向上することが出来ると共に、アロマオイル等の芳香剤を装飾媒体３の組織内に封入した状態でオイル等容器４から蒸散することが出来るので空気中の酸素との接触の機会を少なくオイル等の芳香剤の酸化を可及的に防止することが出来る。従って、アロマオイル等の芳香剤を新鮮な状態に保持して芳香させることが出来、アロマオイル等の芳香剤の各種機能を十分に発揮することが可能となる。
【００３２】
また、土台となる基板１に形成する切り溝２に装飾媒体３の下端縁３−１を嵌めこむだけで構成することが出来、後は基板１の所定の場所にオイル等容器４を載置し、該容器４の開口部から装飾媒体３の浸漬片５を挿入するだけであるため家庭でも個人的に簡単に組み立て使用することが出来る効果がある。
【００３３】
なお、必要により基板１にバイブレーション装置aを載置し該装置の振動出力部bを装飾媒体３に接触しておけば、装飾媒体３からのアロマオイル等の芳香剤の放出を迅速に行うことが出来る。また、バイブレーション装置は乾電池による電動振動機構で構成することとし、必要に応じてタイマーcを付加することにより必要なときに必要な時間だけ芳香機能を促進することが出来る効果がある。
【符号の説明】
【００３４】
Ａ：アロマオイル等芳香装置
１：基板
２：切り溝
３：装飾媒体
４：オイル容器
５：浸漬片
６，６´：平板
７：芯材
８：縦方向木目
９：横方向木目
【図１】
0005981105.tif 000002
【図２】
0005981105.tif 000003
【図３】
0005981105.tif 000004
【図４】
0005981105.tif 000005